(57)【要約】【課題】電気機器側の電源プラグを抜き差しすることなく、電気機器の電源をオン／オフすることができる防水コンセントを提供することにある。【解決手段】コンセントブロック１のコンセント部の電源極側差し込み口２６ａ、２６ｂへの通電をオン／オフするスイッチ装置ＳＷの操作ハンドル９を可撓性樹脂からなる透明な防雨カバー１０を被せた状態で防水カバー１の膨出部８の前面に露出させている。【選択図】　　　　図１
2004039399.tif 000002
【特許請求の範囲】
【請求項１】
差込みプラグを挿入接続するコンセント部を有するコンセントブロックを内装するとともに、前記コンセント部のプラグ差し込み口を露出させる下向開口部を有した防水カバーと、該防水カバーを造営物に取り付ける際に防水カバー背面と造営物との間に介在する防水パッキンとを備えている防水コンセントにおいて、
前記コンセント部への通電をオン／オフするスイッチ装置を前記防水カバーに内装するとともに、防雨カバーで被蔽された前記スイッチ装置の操作部を前記防水カバー外部に露出させていることを特徴とする防水コンセント。
【請求項２】
前記操作部を前記防水カバー外部に露出させる開口部を、防水カバー表面に設けていることを特徴とする請求項１記載の防水コンセント。
【請求項３】
前記操作部を前記防水カバー外部に露出させる開口部を前記下向開口部に設けたことを特徴とする請求項１記載の防水コンセント。
【請求項４】
前記防雨カバーは、可撓性樹脂から形成され、背面には前記操作部を嵌めこむ凹部を有すると共に、前記操作部ととも前記防水カバーの内側から前記開口部を介して防水カバー外に前部を露出させた際に、前記凹部の開口周縁に形成した外向フランジが、前記開口部の周縁の防水カバーの内壁面に密接することを特徴とする請求項２又は３記載の防水コンセント。
【請求項５】
前記防雨カバーを、前記操作部が外部から透視可能な透明材料で形成していることを特徴とする請求項４に記載の防水コンセント。
【発明の詳細な説明】
【０００１】
【発明の属する技術分野】
本発明は、防水コンセントに関するものである。
【０００２】
【従来の技術】
自動販売機、庭園灯等屋外に設けられる電気機器の電源プラグに対応したコンセントとしては、従来壁面等の造営面に取り付ける防水コンセントがある。
【０００３】
【発明が解決しようとする課題】
従来の防水コンセントは、屋外設置の自動販売機や、店舗の足下看板の照明等の電気機器への電源供給を行う場合にとって便利であるが、足下看板等では機器自体に電源スイッチが備わっていないので、電源プラグの抜き差しによって電源のオン／オフを行っていた。
【０００４】
本発明は、上述の点に鑑みて為されたもので、その目的とするところは電気機器側の電源プラグを抜き差しすることなく、電気機器の電源をオン／オフすることができる防水コンセントを提供することにある。
【０００５】
【課題を解決するための手段】
上述の目的を達成するために、請求項１の発明では、差込みプラグを挿入接続するコンセント部を有するコンセントブロックを内装するとともに、前記コンセント部のプラグ差し込み口を露出させる下向開口部を有した防水カバーと、該防水カバーを造営物に取り付ける際に防水カバー背面と造営物との間に介在する防水パッキンとを備えている防水コンセントにおいて、前記コンセント部への通電をオン／オフするスイッチ装置を前記防水カバーに内装するとともに、防雨カバーで被蔽された前記スイッチ装置の操作部を前記防水カバー外部に露出させていることを特徴とする。
【０００６】
請求項２の発明では、請求項１の発明において、前記操作部を前記防水カバー外部に露出させる開口部を、防水カバー表面に設けていることを特徴とする。
【０００７】
請求項３の発明では、請求項１の発明において、前記操作部を前記防水カバー外部に露出させる開口部を前記下向開口部に設けたプラグ差し込み口に並行するように下向き面に開口していることを特徴とする。
【０００８】
請求項４の発明では、請求項２又は３の発明において、前記防雨カバーは、可撓性樹脂から形成され、背面には前記操作部を嵌めこむ凹部を有すると共に、前記操作部ととも前記防水カバーの内側から前記開口部を介して防水カバー外に前部を露出させた際に、前記凹部の開口周縁に形成した外向フランジが、前記開口部の周縁の防水カバーの内壁面に密接することを特徴とする。
【０００９】
請求項５の発明では、請求項４に記載の発明において、前記防雨カバーを、前記操作部が外部から透視可能な透明材料で形成していることを特徴とする。
【００１０】
【発明の実施の形態】
本発明を実施形態により説明する。
【００１１】
（実施形態１）
本実施形態の防水コンセントは、造営面たる屋外の壁面に取り付けられるもので、電気機器の電源プラグの電源極用栓刃を接続する一対の刃受金具（図示せず）及び接地極用栓刃を接続する刃受金具（図示せず）を備えた１組のコンセント部、これら刃受金具に対応して図２に示すようにリード線３，３を接続する速結端子構造の接続端子部５ａ及びアース用リード板４を接続する接続端子部５ｂを備えるコンセントブロック１と、前記リード線３，３と外部からの電源線（図示せず）との間に介在する両切り型のスイッチ装置ＳＷと、コンセントブロック１及びスイッチ装置ＳＷとを内装する防水カバー２と、防水カバー２を固定することで防水コンセントを前記壁面側に埋設されるスイッチボックス（図示せず）に取り付ける取付枠６と、防水コンセントを壁面に取り付ける際に防水カバー２後面と壁面との間に介在して防水を図る防水パッキン７とから成る。
【００１２】
次に、各部の構成について図１及び図２に基づいて更に説明する。
【００１３】
防水カバー２は後面（壁面への取付面側）が開口する箱状に形成された樹脂成形品からなり、上側前面部を前方に膨出させ、この膨出部８内にコンセントブロック１及びスイッチ装置ＳＷを内装する。
【００１４】
膨出部８は側面形状が上端から下端に亘って徐々に前方へ突出する形に形成されたもので、膨出部８の下向面には長方形の下向開口部３２を形成し、この下向開口部３２にコンセントブロック１の下向面部１ａを内側から嵌め込むことで該下向面部１ａを外部に露出させるようになっている。また下向開口部３２の開口縁部には前部及び側部を覆う雨避けのコ状のフード１９を取り付けてある。
【００１５】
そして膨出部８の前方壁面の片側には内装しているスイッチ装置ＳＷの操作部たる操作ハンドル９を、操作ハンドル９に被せた透明な可撓性樹脂製からなる防雨カバー１０とともに露出させる開口部１１を設けている。
【００１６】
また膨出部８の下方の防水カバー２の後面に形成した凹平面１２にはアース用リード板４の一端に形成したねじ孔４ａを露呈する孔３０を形成するとともにこの孔３０の上、下位置にアース用リード板４を固定するための固定ねじ１４を螺合するためのねじ孔１３，１３を穿設している。
【００１７】
また膨出部８の前方内壁面の中央上端及び凹平面２３の中央下端にボス１６を夫々形成し、これらボス１６に取付枠６の取付ねじ孔６ａ．６ａに螺合締結する取付ねじ１７、１７を防水カバー２の前面側から挿通させる貫通孔１８を穿孔している。
【００１８】
防水カバー２に内装されるコンセントブロック１は、上端中央に防水カバー２の膨出部８の前方内壁に打ち込む打ち込み鋲２３を挿通するための取付孔２２を穿設している取付片２１を一体に突設し、また同様に防水カバー２の膨出部８の前方内壁に打ち込む打ち込み鋲２３を挿通する挿通孔２４を貫通させた凹部２５をコンセントブロック１の後部片側に形成している。
【００１９】
またコンセントブロック１の下向面部１ａには接地極用栓刃（以下実施形態の説明ではアースピンと称する）有り無しの２種類の電源プラグの栓刃を接続するためのコンセント部の電源極用差し込み口２６ａ、２６ｂとアース用差し込み口２６ｃとを開口している。
【００２０】
これら差し込み口２６ａ〜２６ｃは栓刃の抜けを防止する係止用ダボを有する刃受金具（図示せず）の栓刃挿入口の形状に合わせて弧状に形成し、差し込まれた電源プラグの各栓刃を回転できるようになっている。
【００２１】
コンセントブロック１と共に防水カバー２に内装されるスイッチ装置ＳＷは波動型の操作ハンドル９を備えたもので、スイッチ取付枠２７を介して防水カバー２の膨出部８の前方内壁に取り付けられる。
【００２２】
次に本実施形態のコンセントブロック１及びスイッチ装置ＳＷの防水カバー２への取り付けについて説明する。
【００２３】
まずコンセントブロック１は、防水カバー２の膨出部８の内側から膨出部８の下向開口部３２に下向面部１ａを嵌めてコンセント部の差し込み口２６ａ〜２６ｃを外部に臨ませ、この状態で挿通孔２２，２４に挿通させた打ち込み鋲２３，２３を膨出部８の前方内壁に打ち込むことで膨出部８に固定される。
【００２４】
一方スイッチ装置ＳＷは、まず操作ハンドル９が前面に露出している前方突出部２９を、スイッチ取付枠２７の中央開口部の後方から嵌め込んで前方へ突出させるとともに、スイッチ装置ＳＷに設けた係止爪（図示せず）をスイッチ取付枠２７の中央開口の上下縁に設けてある係止部（図示せず）に係止してスイッチ取付枠２７に取り付ける。
【００２５】
そしてスイッチ装置ＳＷを取り付けた状態で、スイッチ取付枠２７の上、下枠片に形成した挿通孔２７ａ，２７ａに挿通した打ち込み鋲２３，２３を夫々膨出部８の前方内壁に打ち込むことで膨出部８の前方内壁面にスイッチ取付枠２７を固定する。この固定によりスイッチ装置ＳＷはスイッチ取付枠２７を介して膨出部２８の前方内壁に固定される。さてこの固定する際に、予めスイッチ装置ＳＷの前方突出部２９に被せている防雨カバー１０とともに膨出部８の開口部１１に嵌合して防水カバー２外へ突出させる。
【００２６】
この場合防雨カバー１０の開口縁に形成せる外向フランジ１０ａを膨出部８内の開口部１１の開口周辺部に当接させ、スイッチ取付板２７の前側に介在させる枠状の押さえ板３１と前記開口部１１の開口周辺部との間で外向フランジ１０ａを挟み込む。これにより外向フランジ１０ａが開口部１１の開口周辺部に密接して防水カバー２内部への雨水の浸入を防ぐようになる。
【００２７】
以上のようにしてコンセントブロック１とスイッチ装置ＳＷとを防水カバー２の膨出部８内に固定が完了した後、コンセントブロック１の接続端子部５ｂにアース用リード板４の一端を接続するとともにアース用リード板４の挿通孔１５，１５を挿通させた固定ねじ１４を凹平面１２のねじ孔１３に螺合することでアース用リード板４を防水カバー２に固定する。
【００２８】
またコンセントブロック１の接続端子部５ａとスイッチ装置ＳＷの負荷側端子部２８ａとの間をリード線３，３で接続するとともに防水カバー２の表面から孔３０から露出しているアース用リード板４のねじ孔４ａにアース用端子ねじ２０を螺合締結して取り付けることで、防水コンセントの本体部が完成することになる。尚２０ａは端子ねじ２０の頭部に取り付ける摘みである。
【００２９】
このように完成した防水コンセントの本体部を壁面等に取り付けるに当たっては、壁面に設けたスイッチボックス等に取付枠６を取付孔６ｂ，６ｂなどを利用して予め固定しておく。そして防水カバー２の後部の周縁部を、防水パッキン７の前方突出壁の前面に形成した嵌合溝（図示せず）に嵌め込みとともに、防水カバー２の外部からボス１６の貫通孔１８を介して防水パッキン７の上下中央部に設けた挿通孔７ａ，７ａに取付ねじ１７、１７を挿通させ、更にこの取付ねじ１７，１７を壁面側に固定している取付枠６の取付ねじ孔６ａ．６ａに螺合締結する。これにより本体Ａを防水パッキン７を介して壁面に取り付けることができることになる。
【００３０】
尚スイッチ装置ＳＷの電源端子部２８ｂにはスイッチボックス（図示せず）から導出される電源線が接続される。
【００３１】
このようにして壁面に取り付けられた本実施形態の防水コンセントでは、コンセント部の差し込み口２６ａ，２６ｂ（及び２６ｃ）に電源プラグの接続栓刃を挿入接続することで電源供給を受ける電気機器への通電を、スイッチ装置ＳＷの操作ハンドル９を可撓樹脂製の防雨カバー１０を介して操作することで、オン／オフできることになる。また操作ハンドル９の操作位置（オン／オフ位置）は透明な防雨カバー１０を介して視認できる。
【００３２】
また操作ハンドル９が露出しているスイッチ装置ＳＷの前方突出部２９への雨水の浸入は防雨カバー１０により防ぐことができる。
【００３３】
（実施形態２）
前記実施形態１の防水コンセントは差し込み口２６ａ，２６ｂ，２６ｃを備えたコンセント部を１組設けた防水コンセントであったが、本実施形態は図４に示すように差し込み口２６ａ，２６ｂ，２６ｃを備えたコンセント部を２組設けたコンセントブロック１を用いたもので、２組のコンセント部の各電源極用の差し込み口２６ａ，２６ｂからの通電を１個のスイッチ装置ＳＷでオン／オフする。
【００３４】
尚本実施形態のその他の構成はコンセントブロック１、防水カバー２、防水パッキン７，取付枠６の大きさが変わる以外は実施形態１と基本的には同様であるため、内部構成についての説明は省略する。
【００３５】
（実施形態３）
前記実施形態２は１個のスイッチ装置ＳＷで２組のコンセント部の各電源極用の差し込み口２６ａ、２６ｂから電気機器への通電をオン／オフさせるものであるが、本実施形態は各コンセント部の電源極用の差し込み口２６ａ、２６ｂからの通電を各別に行えるように夫々に対応するスイッチ装置ＳＷａ，ＳＷｂを図５に示すように設けたものである。
【００３６】
尚各スイッチ装置ＳＷａ，ＳＷｂの防水カバー２への取付は２個用のスイッチ取付枠（図示せず）を用いて行い、各スイッチ装置ＳＷａ，ＳＷｂの各前方突出部２９，２９は防水カバー２の一つの開口部１１から外部へ並行突出させている。また透明で可撓性樹脂からなる防雨カバー１０は、防水カバー２から並行突出している両スイッチ装置ＳＷａ，ＳＷｂの前方突出部２９，２９全体を一つで覆うことができる大きさのものを用いる。
【００３７】
本実施形態のその他の構成はコンセントブロック１、防水カバー２、防水パッキン７，取付枠６の大きさが変わる以外は基本的には実施形態１と同様であるため、内部構成についての説明は省略する。
【００３８】
ところえ実施形態１乃至３の構成は、スイッチ装置ＳＷの操作ハンドル９を含む前方突出部２９を防水カバー２の膨出部８の前面より露出させる構成であるが、膨出部８の下向開口部３２にコンセントブロック１の下向面部１ａと並行する形で、スイッチ装置ＳＷの操作ハンドル９を防雨カバー１０とともに露出させる開口部を設けても良い。
【００３９】
図６は１組のコンセント部に対応したスイッチ装置ＳＷを設けた実施形態４を、図７は２組のコンセント部を一つのスイッチ装置ＳＷでオン／オフする実施形態５を、図８は２組のコンセント部を設けるとともにこれらコンセント部に各別に対応する二つのスイッチ装置ＳＷａ，ＳＷｂを設けた実施形態６を夫々示す。
【００４０】
而して実施形態４乃至６の構成では、操作ハンドル９に被せた防雨カバー２に直接雨がかかることが少なく、防雨性能が向上する。
【００４１】
【発明の効果】
請求項１の発明は、差込みプラグを挿入接続するコンセント部を有するコンセントブロックを内装するとともに、前記コンセント部のプラグ差し込み口を露出させる下向開口部を有した防水カバーと、該防水カバーを造営物に取り付ける際に防水カバー背面と造営物との間に介在する防水パッキンとを備えている防水コンセントにおいて、前記コンセント部への通電をオン／オフするスイッチ装置を前記防水カバーに内装するとともに、防雨カバーで被蔽された前記スイッチ装置の操作部を前記防水カバー外部に露出させているので、コンセント部を通じて接続される電源スイッチを有さない電気機器への通電をスイッチ装置でオン／オフすることができ、そのため電源プラグの抜き差しで電源をオン／オフするなどの手間が省け、利便性が向上するという効果があり、またスイッチ装置を防雨カバーによって防雨するため、防水カバー外部に露出しているスイッチ装置の操作部に対する雨水の影響が無い。
【００４２】
請求項２の発明は、請求項１の発明において、前記操作部を前記防水カバー外部に露出させる開口部を、防水カバー表面に設けているので、スイッチ装置のオン／オフ操作が容易である。
【００４３】
請求項３の発明は、請求項１の発明において、前記操作部を前記防水カバー外部に露出させる開口部を前記下向開口部に設けているので、防雨カバーを含めた操作部に直接雨水がかかり難く、そのため防雨性能が向上する。
【００４４】
請求項４の発明では、請求項２又は３の発明において、前記防雨カバーは、可撓性樹脂から形成され、背面には前記操作部を嵌めこむ凹部を有すると共に、前記操作部ととも前記防水カバーの内側から前記開口部を介して防水カバー外に前部を露出させた際に、前記凹部の開口周縁に形成した外向フランジが、前記開口部の周縁の防水カバーの内壁面に密接するので、防雨カバー越しに操作部を操作することができるとともに、雨水が開口部と防雨カバーとの間の隙間を介して防水カバー内部へ浸入するのを防ぐことができる。
【００４５】
請求項５の発明では、請求項４に記載の発明において、前記防雨カバーを、前記操作部が外部から透視可能な透明材料で形成しているので、操作部の操作位置が外部から視認できる。
【図面の簡単な説明】
【図１】図１は本発明の実施形態１の斜視図である。
【図２】同上の分解斜視図である。
【図３】（ａ）は同上の本体部の正面図である。
（ｂ）は同上の本体部の背面図である。
【図４】本発明の実施形態２の斜視図である。
【図５】本発明の実施形態３の斜視図である。
【図６】本発明の実施形態４の斜視図である。
【図７】本発明の実施形態５の斜視図である。
【図８】本発明の実施形態６の斜視図である。
【符号の説明】
１　コンセントブロック
１ａ　下向面部
２　防水カバー
７　防水パッキン
８　膨出部
９　操作ハンドル
１０　防雨カバー
１１　開口部
１８　貫通孔
１９　フード
２６ａ〜２６ｃ　差し込み口
３２　下向開口部
ＳＷ　スイッチ装置
【図１】
2004039399.tif 000003
【図２】
2004039399.tif 000004
【図３】
2004039399.tif 000005
【図４】
2004039399.tif 000006
【図５】
2004039399.tif 000007
【図６】
2004039399.tif 000008
【図７】
2004039399.tif 000009
【図８】
2004039399.tif 000010